(57)【要約】【課題】フレーム伝送帯域制御システム及び方法に関し、ユーザフレームと同一伝送径路でＯＡＭフレームの伝送を行う。【解決手段】複数の伝送装置をネットワークにより接続し、ユーザ対応の契約伝送帯域に従って伝送装置によるユーザフレームの伝送制御を行い、且つＯＡＭフレームによりユーザフレームの伝送径路の正常性を監視するフレーム伝送帯域制御システム及び方法であって、ＯＡＭ判定部１によりユーザフレームとＯＡＭフレームとを識別してシェーパキューに順次蓄積し、ユーザフレームは契約伝送帯域に従ってシェーパキューから順次送出し、且つ契約伝送帯域を超えるユーザフレームは廃棄処理して、ユーザフレームは契約伝送帯域に制限して伝送し、ＯＡＭフレームは、契約伝送帯域に拘わらず順次シェーパキューから送出し、ユーザフレームと同一伝送径路で伝送する制御手段を有するシェーパ２を備えている。【選択図】図１
2011023777.tif 000002
【特許請求の範囲】
【請求項１】
複数の伝送装置をネットワークにより接続し、ユーザ対応の契約伝送帯域に従って前記伝送装置によるユーザフレームの伝送制御を行い、且つＯＡＭフレームにより伝送径路の正常性を監視するフレーム伝送帯域制御システムに於いて、
前記伝送装置は、前記ユーザフレームと前記ＯＡＭフレームとを受信識別してシェーパキューに順次蓄積し、前記ユーザフレームは前記契約伝送帯域に従って前記シェーパキューから順次送出し、且つ前記契約伝送帯域を超える前記ユーザフレームは廃棄し、前記ＯＡＭフレームは前記契約伝送帯域に拘わらず順次前記シェーパキューから送出する制御手段を有するシェーパを備えた
ことを特徴とするフレーム伝送帯域制御システム。
【請求項２】
前記ネットワークに接続した前記伝送装置は、物理回線に設定された複数の論理コネクション対応のユーザフレームとＯＡＭフレームとをそれぞれ識別して順次蓄積する前記論理コネクション対応のシェーパキューと、前記論理コネクション対応の契約伝送帯域に従って、該論理コネクション対応のシェーパキューから前記ユーザフレームを順次送出し、且つ前記契約帯域を超える前記ユーザフレームは廃棄し、前記ＯＡＭフレームは前記契約伝送帯域に拘わらず順次前記シェーパキューから送出する論理コネクション対応制御手段と、該論理コネクション対応制御手段からの前記ユーザフレーム及び前記ＯＡＭフレームを前記物理回線の伝送帯域に応じて選択送出する物理回線対応制御手段とを含むシェーパを備えたことを特徴とする請求項１記載のフレーム伝送帯域制御システム。
【請求項３】
前記シェーパキューは、前記ユーザフレームの蓄積可能の閾値と、該閾値より大きい前記ＯＡＭフレームに対する閾値とを設定し、前記ユーザフレームに対する閾値を超えるユーザフレームを廃棄処理する制御手段を備えたことを特徴とする請求項１又は２記載のフレーム伝送帯域制御システム。
【請求項４】
複数の伝送装置をネットワークにより接続し、ユーザ対応の契約伝送帯域に従って前記伝送装置によるユーザフレームの伝送制御を行い、且つＯＡＭフレームにより伝送径路の正常性を監視するフレーム伝送帯域制御方法に於いて、
前記ネットワークを介して前記ユーザフレームと前記ＯＡＭフレームとを受信識別し、前記ユーザフレームと前記ＯＡＭフレームとをシェーパキューに順次蓄積し、前記ユーザフレームは前記契約伝送帯域に従って前記シェーパキューから順次送出し、且つ前記契約伝送帯域を超える前記ユーザフレームは廃棄し、前記ＯＡＭフレームは前記契約伝送帯域に拘わらず順次前記シェーパキューから送出する制御過程を含む
ことを特徴とするフレーム伝送帯域制御方法。
【請求項５】
前記ネットワークの物理回線に設定された複数の論理コネクション対応のユーザフレームとＯＡＭフレームとをそれぞれ受信して識別して、論理コネクション対応のシェーパキューに順次蓄積し、前記論理コネクション対応の契約伝送帯域に従って、該論理コネクション対応のシェーパキューから前記ユーザフレームを順次送出し、且つ前記契約帯域を超える前記ユーザフレームは廃棄し、前記ＯＡＭフレームは前記契約伝送帯域に拘わらず順次前記シェーパキューから送出し、且つ、前記論理コネクション対応の前記ユーザフレーム及び前記ＯＡＭフレームを前記物理回線の伝送帯域に応じて選択送出する制御過程を含むことを特徴とする請求項４記載のフレーム伝送帯域制御方法。
【発明の詳細な説明】
【技術分野】
【０００１】
本発明は、ユーザ対応の契約伝送帯域内でフレーム伝送を行い、且つフレーム伝送径路の正常性を確認可能とするフレーム伝送帯域制御システム及びフレーム伝送帯域制御方法に関する。
【背景技術】
【０００２】
複数のユーザ対応にフレーム伝送を行うシステムに於いて、予め契約した伝送帯域内のフレーム伝送を保証する為に、契約伝送帯域を超えるフレームを廃棄処理するフレーム伝送制御手段が知られている。又フレーム伝送径路の正常性を確認可能とする為の保守管理用のＯＡＭ（Ｏｐｅｒａｔｉｏｎ，Ａｄｍｉｎｉｓｔｒａｔｉｏｎ  ａｎｄ  Ｍａｉｎｔｅｎａｃｅ）フレームを送受信する手段も知られている。又１物理回線に複数の論理コネクションを形成し、それぞれの論理コネクションを例えばＶＬＡＮ（Ｖｉｒｔｕａｌ  Ｌｏｃａｌ  Ａｒｅａ  Ｎｅｔｗｏｒｋ）タグをフレームに付加することにより識別して、論理コネクション対応にフレーム伝送を行うシステムも知られている。又論理コネクション対応のＯＡＭフレームを送受信する場合は、監視を要する論理コネクション対応のＶＬＡＮタグをそれぞれのＯＡＭフレームに付加することになる。
【０００３】
図４は、通信キャリアネットワークの概要説明図であり、ユーザＡ，Ｂ，Ｃそれぞれの複数の拠点間でフレーム伝送を行う場合の概要を示すもので、各物理回線に複数のユーザ対応の論理コネクションを設定し、ユーザＡの拠点１〜３間の実線で示す論理コネクションによりフレーム伝送を行う場合、例えば、ＶＬＡＮ識別子として、ＶＩＤ＝１０をフレームに付加し、ユーザＢの拠点１〜３間の点線で示す論理コネクションによりフレーム伝送を行う場合、例えば、ＶＬＡＮ識別子として、ＶＩＤ＝２０をフレームに付加し、ユーザＣの拠点１，２間の一点鎖線で示す論理コネクションによりフレーム伝送を行う場合、例えば、ＶＬＡＮ識別子として、ＶＩＤ＝３０をフレームに付加することにより、同一の物理回線を用いる場合でも、論理コネクション対応のユーザの拠点間で、混信状態となることなく、フレーム伝送を行うことができる。
【０００４】
図５は、ＯＡＭフレームによる監視説明図であり、複数の伝送装置を接続したキャリアネットワークに於いて、エンド装置としての伝送装置間を複数の中間装置としての伝送装置を介して物理回線により接続し、エンド装置間の物理回線に、実線で示す論理コネクションと点線で示す論理コネクションとを設定し、前述の場合と同様に、実線の論理コネクション対応のＶＬＡＮ識別子として、ＶＩＤ＝１０をフレームに付加し、点線の論理コネクション対応のＶＬＡＮ識別子として、ＶＩＤ＝２０をフレームに付加して、それぞれ論理コネクション対応のフレーム伝送を行うシステムに於いて、ＯＡＭフレームを一方のエンド装置から他方のエンド装置へ所定の周期毎に伝送して正常性を監視する場合、論理コネクション対応のＯＡＭフレームに対しても、同様のＶＩＤ＝１０及びＶＩＤ＝２０のＶＬＡＮ識別子をそれぞれ付加して一方のエンド装置から伝送し、他方のエンド装置に於いて、ＶＬＡＮ識別子対応のＯＡＭフレームを受信抽出することにより、論理コネクション対応の伝送径路の正常性を監視することができる。
【０００５】
又ユーザ対応にフレーム伝送を行う場合の伝送帯域を予め契約し、契約伝送帯域内のフレーム伝送を保証するシステムが知られている。その場合、ユーザ対応の伝送フレームを契約伝送帯域に絞り込む為のシェーパを設けるシステムが知られている。例えば、図６の（Ａ），（Ｂ）は、トークンバケットアリゴリズムによるシェーパを示すもので、同図の（Ａ）は、単一の物理回線又は単一の論理コネクションに対するシェーパの要部を示し、シェーパキュー６１とセレクタ６２とトークンバケット６３とを含み、伝送フレームは、シェーパキュー６１からセレクタ６２を介して送信される。その場合に、トークバケット６３に、契約伝送帯域に相当する所定の周期でトークンを供給し、セレクタ６２からフレームを送出すると、そのフレーム長に対応したトークンをトークンバケット６３から減算し、残存トークンが零となると、セレクタ６２からのフレーム送出を停止する。又フレーム到着間隔が短くて、シェーパキュー６１から溢れるフレームは、契約伝送帯域を超える場合であり、この溢れたフレームは廃棄する。トークンバケット６３は、通常はカウンタにより構成され、契約伝送帯域に相当する周期のクロックをカウントアップするカウンタにより構成し、セレクタ６２から送出するフレームのデータ量に相当するカウント値を減算し、カウント値が零となると、セレクタ６２からのフレームの送出を停止する。
【０００６】
図６の（Ｂ）は、論理コネクション単位のシェーパと、物理ポート単位のシェーパとを組として伝送帯域制御を行う場合の要部を示すもので、６４−１〜６４−ｎはそれぞれ図６の（Ａ）に示す構成の論理コネクション単位のシェーパ、６５は物理ポート単位のシェーパを示す。なお、論理コネクション単位のシェーパキューは図示を省略している。論理コネクション単位のＶＬＡＮ識別子を付加したフレームは、それぞれシェーパ６４−１〜６４−ｎにより伝送帯域が契約伝送帯域を超えないように制御し、更に、物理回線対応の伝送帯域を、シェーパ６５により制御することにより、キャリアネットワークに於けるフレーム伝送を安定化することができる。
【０００７】
又ＡＴＭ（Ａｓｙｎｃｈｒｏｎｏｕｓ  Ｔｒａｎｓｆｅｒ  Ｍｏｄｅ）ネットワークに於けるユーザセルとＯＡＭセルとが混在して伝送されるシステムに於けるシェーピング処理が知られており、そのシェーピング処理に、リーキーバケットアリゴリズムを適用した場合、受信セルをシェーパキューに相当するメモリに一旦記憶し、ユーザセルに対しては、その到着時間間隔の揺らぎを吸収し、且つ送出時間間隔が契約伝送帯域内となるように、所定の時間間隔でメモリから読出して送出し、この所定の時間間隔で送出できない程、短い時間間隔で到着したセルは、契約伝送帯域をオーバしているので廃棄し、又ＯＡＭセルを識別して、ユーザセルの送出時間間隔内に送出し、ユーザセルの契約伝送帯域に影響しないように制御する手段が提案されている（例えば、特許文献１参照）。
【０００８】
又ＩＰネットワークに於けるＩＰパケットを中継伝送するシステムに於いて、優先度に対応したキューとシェーパとを含み、遅延揺らぎを防止する為に、遅延情報を付加して伝送し、受信遅延情報と優先度とを基に、シェーピング処理を行い、且つＩＰパケットに付加する遅延情報を、内部処理遅延情報に更新して送信する中継処理するシステムが提案されている（例えば、特許文献２参照）。又複数の物理回線を統合して１本の論理回線として取り扱うことにより、大容量化伝送を可能とするリンクアグリゲーションを適用し、各物理回線に、送信タイミング情報を付加したＯＡＭフレームを送信し、このＯＡＭフレームの受信タイミングを基に、各物理回線の伝送遅延情報を得て、ユーザフレームの受信タイミング補正部により受信タイミングを補正し、補正された受信タイミングの順に出力回線に送出する手段が提案されている（例えば、特許文献３参照）。
【先行技術文献】
【特許文献】
【０００９】
【特許文献１】特開平８−７９２６５号公報
【特許文献２】特開２００７−１３６５４号公報
【特許文献３】特開２００９−３３５７３号公報
【発明の概要】
【発明が解決しようとする課題】
【００１０】
伝送回線の正常性を監視する為のＯＡＭフレームの送受信は、伝送回線に接続した複数の伝送装置の中のエンド・エンドの伝送装置間で行う場合が一般的であり、例えば、図５に示す一方のエンド装置に於いてＯＡＭフレームを挿入して伝送し、他方のエンド装置に於いてＯＡＭフレームを抽出し、そのＯＡＭフレームを正常受信できた場合は、エンド・エンドの伝送装置間の伝送回線は正常と判断することができる。その場合、物理回線に複数の論理コネクションを設定して、論理コネクション対応にフレーム伝送を行う場合は、論理コネクション対応にＯＡＭフレームを送受信することにより、論理コネクション対応の伝送径路が正常か否かを判断することができる。このような論理コネクション対応にＯＡＭフレームを伝送する場合、例えば、図６の（Ｂ）に於いて、論理コネクション対応のＯＡＭフレームを、それぞれ論理コネクション対応のユーザフレームと共に、シェーパを介して伝送すると、論理コネクション対応のシェーパ６４−１〜６４−ｎに於いて、ＯＡＭフレームもユーザフレームと同一のフレームとして伝送帯域制御を受けることになり、ユーザフレームの実際の伝送帯域を確保できない問題があり、又シェーパキューによる廃棄処理がＯＡＭフレームに対して発生する可能性がある。このように、ＯＡＭフレームが廃棄されると、エンド装置側へＯＡＭフレームが伝送されないので、その論理コネクションに障害発生と誤判断される問題がある。又ユーザフレームに対するシェーパとＯＡＭフレームに対するシェーパとを別個に設けることにより、ユーザフレームの契約伝送帯域をＯＡＭフレームによって消費しない構成とすることも考えられるが、その場合は、ユーザフレームと異なる伝送径路でＯＡＭフレームの伝送が行われることになり、ユーザフレームの伝送径路の信頼性を保証することができなくなる問題がある。
【００１１】
本発明は、前述の従来例の問題点を解決することを目的とし、ユーザフレームに対するシェーピング処理により契約伝送帯域内で伝送可能とすると共に、ＯＡＭフレームをユーザフレームと同一伝送径路で伝送し、且つＯＡＭフレームは、契約伝送帯域を消費しない制御処理を行い、ユーザフレームの伝送径路の信頼性の保証を可能とする制御システム及び制御方法を提供するものである。
【課題を解決するための手段】
【００１２】
本発明のフレーム伝送帯域制御システムは、複数の伝送装置をネットワークにより接続し、ユーザ対応の契約伝送帯域に従って前記伝送装置によるユーザフレームの伝送制御を行い、且つＯＡＭフレームにより伝送径路の正常性を監視するフレーム伝送帯域制御システムであって、前記伝送装置は、ユーザフレームとＯＡＭフレームとを受信識別してシェーパキューに順次蓄積し、ユーザフレームは契約伝送帯域に従ってシェーパキューから順次送出し、且つ契約伝送帯域を超えるユーザフレームは廃棄し、ＯＡＭフレームは契約伝送帯域に拘わらず順次シェーパキューから送出する制御手段を有するシェーパを備えている。
【００１３】
又前記ネットワークに接続した前記伝送装置は、物理回線に設定された複数の論理コネクション対応のユーザフレームとＯＡＭフレームとをそれぞれ識別して順次蓄積する論理コネクション対応のシェーパキューと、論理コネクション対応の契約伝送帯域に従って、該論理コネクション対応のシェーパキューからユーザフレームを順次送出し、且つ契約帯域を超えるユーザフレームは廃棄し、ＯＡＭフレームは契約伝送帯域に拘わらず順次シェーパキューから送出する論理コネクション対応制御手段と、該論理コネクション対応制御手段からのユーザフレーム及びＯＡＭフレームを物理回線の伝送帯域に応じて選択送出する物理回線対応制御手段とを含むシェーパを備えている。
【００１４】
又前記シェーパキューは、ユーザフレームの蓄積可能の閾値と、この閾値より大きいＯＡＭフレームに対する閾値とを設定し、ユーザフレームに対する閾値を超えるユーザフレームを廃棄処理する制御手段を備えている。
【００１５】
本発明のフレーム伝送帯域制御方法は、複数の伝送装置をネットワークにより接続し、ユーザ対応の契約伝送帯域に従って前記伝送装置によるユーザフレームの伝送制御を行い、且つＯＡＭフレームにより伝送径路の正常性を監視するフレーム伝送帯域制御方法であって、ネットワークを介してユーザフレームとＯＡＭフレームとを受信識別し、ユーザフレームとＯＡＭフレームとをシェーパキューに順次蓄積し、ユーザフレームは契約伝送帯域に従ってシェーパキューから順次送出し、且つ契約伝送帯域を超えるユーザフレームは廃棄し、ＯＡＭフレームは契約伝送帯域に拘わらず順次シェーパキューから送出する制御過程を含むものである。
【００１６】
又前記ネットワークの物理回線に設定された複数の論理コネクション対応のユーザフレームとＯＡＭフレームとをそれぞれ受信して識別して、論理コネクション対応のシェーパキューに順次蓄積し、論理コネクション対応の契約伝送帯域に従って、該論理コネクション対応のシェーパキューからユーザフレームを順次送出し、且つ契約帯域を超えるユーザフレームは廃棄し、ＯＡＭフレームは契約伝送帯域に拘わらず順次シェーパキューから送出し、且つ、論理コネクション対応のユーザフレーム及びＯＡＭフレームを、物理回線の伝送帯域に応じて選択送出する制御過程を含むものである。
【発明の効果】
【００１７】
ユーザフレームに対しては契約伝送帯域に従った伝送帯域制御を行い、ＯＡＭフレームに対しては、伝送帯域制御を行うことなく、且つユーザフレームと同一伝送径路により伝送することを可能とするもので、ユーザフレームの伝送径路の信頼性を保証することが可能となる利点がある。又複数の論理コネクションに対してもそれぞれユーザフレームと同一伝送径路によりＯＡＭフレームを伝送することにより、論理コネクション対応の伝送径路の信頼性を保証することができる利点がある。
【図面の簡単な説明】
【００１８】
【図１】本発明の実施例１の説明図である。
【図２】本発明の実施例１のシェーパの処理説明図である。
【図３】本発明の実施例１のシェーパキューの説明図である。
【図４】通信キャリアネットワークの概要説明図である。
【図５】ＯＡＭフレームによる監視説明図である。
【図６】従来例のシェーパ機能の説明図である。
【発明を実施するための形態】
【００１９】
本発明のフレーム伝送帯域制御システムは、複数の伝送装置をネットワークにより接続し、ユーザ対応の契約伝送帯域に従って伝送装置によるユーザフレームの伝送制御を行い、且つＯＡＭフレームによりユーザフレームの伝送径路の正常性を監視するフレーム伝送帯域制御システムであって、伝送装置は、ユーザフレームとＯＡＭフレームとを受信識別してシェーパキューに順次蓄積し、ユーザフレームは契約伝送帯域に従ってシェーパキューから順次送出し、且つ契約伝送帯域を超えるユーザフレームは廃棄して、ユーザフレームは契約伝送帯域に制限して伝送し、ＯＡＭフレームは、契約伝送帯域に拘わらず順次シェーパキューから送出し、ユーザフレームと同一伝送径路で伝送する制御手段を有するシェーパを備えている。
【００２０】
本発明のフレーム伝送帯域制御方法は、複数の伝送装置をネットワークにより接続し、ユーザ対応の契約伝送帯域に従って前記伝送装置によるユーザフレームの伝送制御を行い、且つＯＡＭフレームによりユーザフレームの伝送径路の正常性を監視するフレーム伝送帯域制御方法であって、ネットワークを介してユーザフレームとＯＡＭフレームとを受信識別し、ユーザフレームとＯＡＭフレームとをシェーパキューに順次蓄積し、ユーザフレームは契約伝送帯域に従ってシェーパキューから順次送出し、且つ契約伝送帯域を超えるユーザフレームは廃棄し、ＯＡＭフレームは契約伝送帯域に拘わらず順次シェーパキューから送出する制御過程を含むものである。
【実施例１】
【００２１】
図１は、本発明の実施例１の説明図であり、図示を省略したネットワークに接続された複数の伝送装置の中のユーザ側のエンド装置について、そのフレーム受信処理機能の要部を示すもので、１はＯＡＭ判定部、２はシェーパ、３はシェーパ帯域制御部、４はＯＡＭ抽出部を示す。ＯＡＭ判定部１は、図示を省略したキャリアネットワーク側の物理回線と接続され、受信したフレームがＯＡＭフレームかユーザフレームかを識別する機能と、ＯＡＭフレームに対して、装置内ヘッダにマーキングして、ユーザフレームとの相違を明確にする機能とを含むものである。又シェーパ２は、論理コネクション対応のシェーパキューと、受信フレームの論理コネクションを判定してシェーパキューに対する書込み及び伝送帯域オーバのユーザフレームの廃棄処理の判定等の機能を含むものである。又シェーパ帯域制御部３は、シェーパトークン管理の機能と出力キュー選択の機能とを含むもので、シェーパトークン管理は、例えば、図６の（Ａ）に示すトークンバケットの管理制御機能に相当し、出力キュー選択は、論理コネクション対応のシェーパキューを選択して、フレーム送出を制御する機能を示す。又ＯＡＭ抽出部４は、ＯＡＭ判定部１により装置内ヘッダにマーキングしたＯＡＭフレームを識別して抽出し、終端処理する機能を含むものであり、ＯＡＭフレーム以外のユーザフレームは、図示を省略した論理コネクション対応のユーザの端末装置へ送出する。
【００２２】
図２は、本発明の実施例１のシェーパの説明図であり、図１のシェーパ２の構成及び制御機能の要部を示し、図２の（Ａ）はユーザフレームの選択出力処理、（Ｂ）はＯＡＭフレームの選択出力処理の概要をそれぞれ示す。同図の（Ａ），（Ｂ）に於いて、１１は論理コネクション対応のシェーパキュー、１２は論理コネクション対応のセレクタ、１３は論理コネクション対応のトークンバケット、１４は物理回線対応のセレクタ、１５は物理回線対応のトークンバケットを示す。シェーパキュー１１とセレクタ１２とトークンバケット１３とは、論理コネクション対応に設けるものであり、論理コネクション対応のユーザフレーム及びＯＡＭフレームは、受信順に従ってシェーパキュー１１に蓄積され、トークンバケット１３には、契約伝送帯域に従った速度でトークンが供給され、セレクタ１２を介してユーザフレームを送出した時に、トークンバケット１３からトークンが減算され、蓄積トークンが零の場合は、セレクタ１２からのユーザフレームの送出を停止する。しかし、ＯＡＭフレームについては、前述のように、ヘッダにマーキングしてユーザフレームとは異なるフレームであることを容易に識別可能としているから、論理コネクション対応のトークンバケット１３からのトークンを減算することなく、且つ蓄積トークンが零の場合でも、送出する。
【００２３】
又物理回線対応のトークンバケット１５には、物理回線対応の伝送帯域に従った速度でトークンが供給され、セレクタ１４からユーザフレーム及びＯＡＭフレームを送出した時は、トークンバケット１５からトークンが減算される。又蓄積トークンが零の場合は、セレクタ１４からのユーザフレーム及びＯＡＭフレームの送出を停止する。従って、論理コネクション対応のユーザフレームとＯＡＭフレームとは同一の伝送径路を経由して伝送され、且つ論理コネクション対応の契約伝送帯域の制御は、ユーザフレームに対してのみ実行され、ＯＡＭフレームについては、論理コネクションによる帯域制御の対象外として処理される。
【００２４】
図３は、本発明の実施例１のシェーパキューの説明図であり、論理コネクション対応のユーザフレームの蓄積閾値に対してＯＡＭフレームの蓄積閾値を高く設定した場合を示す。それにより、ユーザフレームの蓄積量が閾値に達すると、その後に到着したユーザフレームは廃棄処理されるが、ＯＡＭフレームを含む場合の蓄積閾値は高く設定されているから、ＯＡＭフレームは廃棄処理されることなく蓄積されて、順次シェーパキューから送出することが可能となる。それにより、ユーザフレームの伝送径路と同一の伝送径路によりＯＡＭフレームを伝送し、且つ廃棄されることがないことにより、論理コネクション対応のユーザフレームの契約伝送帯域を、ＯＡＭフレームによって消費することなく、伝送径路の正常性の監視が可能となる。
【符号の説明】
【００２５】
１  ＯＡＭ判定部
２  シェーパキュー
３  シェーパ帯域制御部
４  ＯＡＭ抽出部
１１  シェーパキュー
１２  セレクタ
１３  トークンバケット
１４  セレクタ
１５  トークンバケット
【図１】
2011023777.tif 000003
【図２】
2011023777.tif 000004
【図３】
2011023777.tif 000005
【図４】
2011023777.tif 000006
【図５】
2011023777.tif 000007
【図６】
2011023777.tif 000008